(57)【特許請求の範囲】
【請求項１】
送風ファンを内部に収納するファンガイドと、前記送風ファンを回転駆動する集電部やカーボンブラシを有するモータから成る電動送風機と、該電動送風機に取り付けられて所定温度で前記モータへの給電を停止するサーモスタットとを備えた電気掃除機において、
前記電動送風機に、一端が前記ファンガイドの外周面に当接する接合部と、他端が前記モータ側に延在する保持片とを有する集熱板を設け、前記保持片の前記モータ側に前記サーモスタットを取付けたこことを特徴とするサーモスタットの取付構造。
【請求項２】
前記集熱板を、ファンガイドの外周形状に対応して円弧状に形成した接合部と、該接合部のモータ側に設けられて前記ファンガイドのフランジに係合する係合部と、該係合部から後方に延設されたサーモスタットの保持片と、前記接合部から下方に延設された固定片とによって構成したことを特徴とする請求項１記載のサーモスタットの取付構造。
【請求項３】
前記集熱板の接合部の前面側に係止爪を設けたことを特徴とする請求項１又は２記載のサーモスタットの取付構造。
【発明の詳細な説明】
【０００１】
【発明の属する技術分野】
本発明は、電気掃除機において、電動送風機のモータが一定の温度を超えたときは、自動的に給電を停止して過熱事故の発生を防止するために、モータに取付けたサーモスタットの取付構造に関するものである。
【０００２】
【従来の技術】
図４は電気掃除機の一例の平断面図、図５は図４の電動送風機の縦断面図である。
図４において、１は電気掃除機の本体で、２は本体１内の前面側に設けられた集塵室であり、本体１の前面に設けた吸込口（図示せず）に接続されたホース２８と連通しており、内部には紙パックの如き集塵体３が着脱可能に装着されている。４は集塵室２の下流側に設けた隔壁で、複数の通気孔５が設けられている。１０は隔壁４の下流側の一方の側に設けられた電動機室６内に設置された電動送風機で、その一例を図５に示す。
【０００３】
図５において、１１はモータケース、１２はモータケース１１の前面側にネジ１３により固定されたモータフレーム、１４は中心部に開口部１４ａを有し、モータフレーム１２の前面側に取付けられたファンガイドで、内部には送風ファン１５が配設される。
１６はモータで、ロータ１８を有する回転軸１７は、モータケース１１とモータフレーム１２に設けた軸受１９により回転自在に支持されており、その先端部には送風ファン１５が固定されている。２０は集電部で、電源（図示せず）からモータ１６に給電するためのカーボンブラシ２１の先端部が摺接している。２２はロータ１８の外周に配設されたステータ、２３はモータケース１１に設けた複数の排気穴である。
再び図４において、２５は電動送風機１０の他方の側に設けられたコード２６を巻取り又は巻戻すコードリール、２７は本体１の両側に設けた車輪である。
【０００４】
上記のような電気掃除機において、電源をＯＮして電動送風機１０に通電すると、ホース２８に接続された図示しない床用吸込具から床面等の塵埃を吸引する。そして、吸引された塵埃は集塵体３内に集められ、集塵体３を通過した空気は、隔壁４に設けた通気孔５か矢印で示すようにモータケース１１内に導かれ、モータ１６を冷却したのち排気穴２３から外部に排気される。
【０００５】
このように、モータ１６は吸引した空気により冷却されるようになっているが、ホース２８の詰りなど、なんらかの理由で風量が制限されると、発熱量が大きくなってモータ１６が過熱し、故障や事故を招くおそれがある。
このため、一般に温度過昇防止のために、モータにサーモスタットを取付けて、モータが一定の温度を超えると、サーモスタットが作動してモータへの給電を自動的に停止するようにしている。
【０００６】
図６〜図７は従来のモータへのサーモスタットの取付構造を示す説明図である。
図６は特開２０００−３０８３１３号公報に記載されたもので、サーモスタットを保持する保持部５２と、この保持部５２に一体に連接された保持片５３とを有するホルダ５０を、モータケース１１に設けた排気穴を利用してモータケース１１の表面に取付けるようにしたものである（従来技術１）。
【０００７】
また、図７は、サーモスタット５１が設けられた取付板５４を、モータケース１１の外表面にビスで取付けたものであり（従来技術２）、さらに、図８は、サーモスタット５１が設けられた取付板５４を、ファンガイド１４の背面側に取付けたものである（状来技術３）。
【０００８】
【発明が解決しようとする課題】
従来技術１は、排気穴２３を利用してサーモスタットを取付けているため、サーモスタットは主とて排気穴２３の近傍の雰囲気温度しか検知できない。しかし、実際にモータロック等の異常が発生した場合には、送風ファン１５の近傍の温度がまず上昇するため、サーモスタットが作動する前に送風ファン１５の近辺の成型樹脂が変形などを生じるおそれがある。
また、サーモスタットを排気穴２３の近傍に設置した場合、モータ１６が異常を起しながらも回転を続けていると、モータ１６を冷却した風がサーモスタットにあたって冷却されてしまうため、サーモスタットの温度検知の追従性が損なわれるという問題もある。
【０００９】
また、従来技術２のように、サーモスタット５１が設けられた取付板５４をモータケース１１の外表面にビスで固定した場合、モータケース１１の外表面は曲面であり、サーモスタット５１の熱感知部分は通常平面なのでモータケース１１との密着性に乏しく、サーモスタット５１の熱検知に安定性がない。また、従来技術１の場合と同様に、異常時に発熱する送風ファン１５からの距離が遠いため、サーモスタット５１の追従性に難がある。
【００１０】
さらに、従来技術３のように、ファンガイド１４の背面側にサーモスタット５１を取付けた場合は、送風ファン１５からの距離が近いため、サーモスタット５１の熱検知の追従性は良いが、最近の高性能の小型モータではファンガイド１４が小さくなる傾向にあり、このため、サーモスタット５１をファンガイド１４に取付けられない場合が多い。また、モータ１６の異常時にはカーボンブラシ２１が発熱する場合もあるが、このような場合は、サーモスタット５１が離れているため、熱検知の追従性が低いという問題がある。
【００１１】
本発明は、上記の課題を解決するためになされたもので、電気掃除機の異常発熱を早期に検知して、モータへの給電を確実に停止することのできるサーモスタットの取付構造を提供することを目的としたもである。
【００１２】
【課題を解決するための手段】
（１）本発明に係るサーモスタットの取付構造は、送風ファンを内部に収納するファンガイドと、前記送風ファンを回転駆動する集電部やカーボンブラシを有するモータから成る電動送風機と、該電動送風機に取り付けられて所定温度で前記モータへの給電を停止するサーモスタットとを備えた電気掃除機において、前記電動送風機に、一端が前記ファンガイドの外周面に当接する接合部と、他端が前記モータ側に延在する保持片とを有する集熱板を設け、前記保持片の前記モータ側に前記サーモスタットを取付けたものである。
【００１３】
（２）また、上記（１）の集熱板を、ファンガイドの外周形状に対応して円弧状に形成した接合部と、該接合部のモータ側に設けられて前記ファンガイドのフランジに係合する係合部と、該係合部から後方に延設されたサーモスタットの保持片と、前記接合部から下方に延設された固定片とによって構成したものである。
（３）また、上記（１）又は（２）の集熱板の接合部の前面側に係止爪を設けた。
【００１４】
【発明の実施の形態】
図１は本発明に係るサーモスタットの取付構造の一実施の形態の側面図、図２は図１の斜視図、図３は図１の集熱板の説明図である。なお、図５の電動送風機と同じ部分にはこれと同じ符号を付し、説明の一部を省略する。
【００１５】
３１はサーモスタット４０を保持して電動送風機１０に取付けられた集熱板である。この集熱板３１は熱伝導の良好な金属材料からなり、図３に示すように、電動送風機１０のファンガイド１３の外周の形状に対応した円弧状に形成され、前面側に下方に折曲げられた係止爪３３を有し、後面側（係止爪３３の反対側）は上方に折曲げられてモータフレーム１２（又はファンガイド１４のフランジ）に係止する凸状の係止部３４が形成された接合部３２と、係止部３４の後面側のほぼ中央部が下方に折曲げられたのち、嵌合部３２より幅狭で後方にほぼ直交して延設されたサーモスタット４０の保持片３５と、この保持片３５の両側において係止部３４の後面側が下方に延設された一対の固定片３６とかなり、固定片３６にはそれぞれねじ挿通穴３７が設けられている。なお、係止爪３３と固定片３６間の幅Ｗ1 は、モータフレーム１２を含むファンガイド１３の幅Ｗに対応している。
【００１６】
４０は取付片４１を有するサーモスタットで、集熱板３１の保持片３５の下面に当接して取付けられており、その一方の端子は電源に接続され、他方の端子は制御基板（図示せず）に接続されている。なお、集熱板３１は、図２（ｃ）に示すように、接合部３２の前面側に設けた係止爪３３を省略してもよく、また、保持片３５を係止部３４の後面側の一方の側に設け、固定片３６を他方の側に設けてもよい。
【００１７】
次に、上記のようなサーモスタット４０が取付けられた集熱板３１の電動送風機１０への取付手順の一例について説明する。
先ず、集熱板３１に設けた一方の固定片３６のねじ挿通穴３７を、モータフレーム１２に設けたモータケース取付用のねじ１３に嵌合すると共に、接合部３２をファンガイド１４の外周面上に位置させ、係止爪３３をファンガイド１４の前面側に係止させ、係止部３４をファンガイド１４のフランジ（モータフレーム１２）に係止させて、接合部３２をファンガイド１４の外周に嵌合又は当接する。このとき、保持片３５はモータフレーム１２の後方においてモータケース１１上にほぼ水平に位置し、固定片３６はモータフレーム１２の後面に当接する。
【００１８】
この状態でねじ１３にナットを螺合すると共に、他方の固定片３６のねじ挿通穴３７にねじを挿通し、このねじ挿通穴３７に対応してモータフレーム１２に設けたねじ穴に螺入して、両者により集熱板３１を電動送風機１０に固定する。なお、固定片３６のねじ挿通穴３７をモータケース取付用のねじ１３に嵌合してナットを螺合する場合を示したが、ねじ挿通穴３７をねじ１３に嵌合するだけで、ナットを省略してもよい。
【００１９】
このとき、集熱板３１の保持片３５に取付けたサーモスタット４０は、モータケース１１に近接して対向し、また、カーボンブラシ２１の比較的近くに位置する。そして、このようにサーモスタット４０を有する集熱板３１が取付けられた電動送風機１０を電動機室６内に設置し、一方の端子を電源に、他方の端子を制御基板にそれぞれ接続すればよい。
なお、上記の説明では、モータフレーム１２に設けたねじ１３を利用して集熱板３１を取付ける場合を示したが、一対の固定片３６に設けたねじ挿通穴３７にねじを挿通し、モータフレーム１２に設けたねじ穴に螺入して固定するようにしてもよい。
【００２０】
上記のようなサーモスタット４０を有する集熱板３１が取付けられた電動送風機１０を備えた電気掃除機の使用は、従来と同様であるが、掃除中になんらかの理由でモータに異常が生じて送風ファン１５の近傍の温度が上昇すると、その熱はファンガイド１４を介して集熱板３１からサーモスタット４０に伝達され、その熱が所定の温度を超えるとサーモスタット４０が作動し、モータ１６への給電を停止するので、モータ１６の異常を早期に検知して確実に処理することができる。
【００２１】
また、サーモスタット４０はカーボンブラシ２１の近傍に位置しているので、カーボンブラシ２１の異常発熱も早期に検知して確実に処理することができる。なお、サーモスタット４０はモータケース１１の排気穴２３から離れた位置に設けられているので、排気穴２３からの排気の影響を受けることはない。
【００２２】
以上の説明から明らかなように、本発明によれば、モータの異常発熱を早期に検知して、モータへの給電を確実に停止することができるので、簡単な構造で事故や故障を生ずるおそれのない電気掃除機を得ることができる。
また、ファンガイドに固定した集熱板のサーモスタットを取付けた保持片をモータ側に位置させたので、モータアッセンブリの小型化をはかることができる。
さらに、集熱板の固定にあたり、モータケース取付用のねじを利用すれば、他方の固定片をねじで固定することにより、簡単かつ安定して取付けることができる。
なお、上記の説明では、図示の電気掃除機、電動送風機に本発明を実施した場合を示したが、他の構造の電気掃除機、電動送風機にも本発明を実施することができる。
【００２３】
【発明の効果】
請求項１に係る発明は、送風ファンを内部に収納するファンガイドと、前記送風ファンを回転駆動する集電部やカーボンブラシを有するモータから成る電動送風機と、該電動送風機に取り付けられて所定温度で前記モータへの給電を停止するサーモスタットとを備えた電気掃除機において、前記電動送風機に、一端が前記ファンガイドの外周面に当接する接合部と、他端が前記モータ側に延在する保持片とを有する集熱板を設け、前記保持片の前記モータ側に前記サーモスタットを取付けるようにしたので、簡単な構造でモータの異常発熱を早期に検出することができ、モータへの給電を確実に停止することができる。
【００２４】
請求項２に係る発明は、請求項１の集熱板を、ファンガイドの外周形状に対応して円弧状に形成した接合部と、該接合部のモータ側に設けられて前記ファンガイドのフランジに係合する係合部と、該係合部から後方に延設されたサーモスタットの保持片と、前記接合部から下方に延設された固定片とによって構成したので、電動送風機へ確実に取付けることができ、送風ファンの異常発熱を早期にサーモスタットに伝達することができ、また、カーボンブラシの異常発熱を早期に検知することができる。
【００２５】
請求項３に係る発明は、請求項１又は２の集熱板の接合部の前面側に係止爪を設けたので、集熱板をより確実に電動送風機に取付けることができる。
【図面の簡単な説明】
【図１】  本発明の一実施の形態に係るサーモスタットを電動送風機に取付けた状態を示す側面図である。
【図２】  図１の斜視図である。
【図３】  図１のサーモスタットを取付けた集熱板の側面図、斜視図及び他の例の斜視図である。
【図４】  電気掃除機の一例の平断面図である。
【図５】  図４の電動送風機の縦断面図である。
【図６】  従来のサーモスタットの取付構造を示す斜視図である。
【図７】  従来のサーモスタットの取付構造を示す斜視図である。
【図８】  従来のサーモスタットの取付構造を示す斜視図である。
【符号の説明】
１０  電動送風機、１４  ファンガイド、１６  モータ、２１  カーボンブラシ、３１  集熱板、３２  接合部，３３  係止爪、３４  係止部、３５  保持片、３６  固定片、４０  サーモスタット。
【図１】
0003673945.tif 000002
【図２】
0003673945.tif 000003
【図３】
0003673945.tif 000004
【図４】
0003673945.tif 000005
【図５】
0003673945.tif 000006
【図６】
0003673945.tif 000007
【図７】
0003673945.tif 000008
【図８】
0003673945.tif 000009